(57)【特許請求の範囲】
【請求項１】
パーティー会場内において、多数の飲料容器を三段以上タワー状に積み上げて容器タワーを形成するタワー形成工程と、
形成された容器タワーを取り囲んだ状態でスクリーン体を配置するスクリーン体配置工程と、
スクリーン体に対してパーティー参加者が視認可能な状態で映像を投影する投影工程とを有しており、
スクリーン体配置工程は、容器タワーの一部の飲料容器についてはスクリーン体で取り囲まずに露出した状態とする工程であり、
投影工程は、複数の映像をスクリーン体上で同時に投影するプロジェクションマッピングを行う工程であることを特徴とするパーティー演出方法。
【請求項２】
前記投影工程は、前記容器タワーの最上段の飲料容器に飲料又は液体を注いで溢れさせながら行うことを特徴とする請求項１記載のパーティー演出方法。
【請求項３】
前記スクリーン体配置工程は、容器タワーのうち少なくとも最上段に位置する飲料容器についてはスクリーン体で取り囲まずに露出した状態とする工程であることを特徴とする請求項１又は２記載のパーティー演出方法。
【請求項４】
前記スクリーン体配置工程は、前記スクリーン体を、前記容器タワーにおけるある段の飲料容器の縁の上に載置することで配置する工程であることを特徴とする請求項１乃至３いずれかに記載のパーティー演出方法。
【請求項５】
前記スクリーン体配置工程は、サイズの異なる複数のスクリーン体を配置する工程であり、大きい方のスクリーン体が下側で容器タワーを取り囲むよう配置され、小さい方のスクリーン体が上側で容器タワーを取り囲むよう配置されることを特徴とする請求項１乃至４いずれかに記載のパーティー演出方法。
【請求項６】
前記投影工程において、１個のプロジェクターが前記スクリーン体の角部を臨む位置に配置され、当該プロジェクターから当該スクリーン体の角部を挟んで隣り合う側面に映像が投影されることを特徴とする請求項１乃至５いずれかに記載のパーティー演出方法。
【発明の詳細な説明】
【技術分野】
【０００１】
この出願の発明は、各種パーティーを華やかに盛り上げるための演出方法に関するものである。
【背景技術】
【０００２】
現在、ホテルの宴会場やレンタルスペース等では、結婚披露宴その他の各種パーティーが盛んに行われている。また、レストランやカフェ等を貸し切りにして各種パーティーを行ったり、クラブやバーといった飲食店で雰囲気を盛り上げるためにパーティー形式の演出を行ったりする場合もある。そして、このようなパーティーの演出用の器具をレンタルするサービスや、パーティー会場の設営等を代行して行うサービスも知られている。
【先行技術文献】
【特許文献】
【０００３】
【特許文献１】特開平８−８４３７８号公報
【特許文献２】特開平５−２０７９１６号公報
【発明の概要】
【発明が解決しようとする課題】
【０００４】
上記のような各種パーティーにおいて、場を盛り上げるために各種の演出がしばしば行われる。参加者が仮装したり、ビンゴゲームのようなゲームを行ったり、カラオケコンテストを行ったりといった具合である。このような演出も、特に目新しいものではなくなってきて飽きられてきている感もある。他方、クラブやバーといった飲食店で、パーティー形式の演出をより効果的に行えれば、お店のイメージアップにもつながるし、来店促進、売り上げアップにつながる。ホテルやレンタルルーム等でも、印象に残る演出サービスを提供できれば、会場の利用促進につながり、売り上げアップに貢献できる。
この出願の発明は、このような点を考慮して為されたものであり、斬新で印象に残る華やかな演出方法を提供することを目的としている。
【課題を解決するための手段】
【０００５】
上記課題を解決するため、この出願の請求項１記載の発明は、パーティー会場内において、多数の飲料容器を三段以上タワー状に積み上げて容器タワーを形成するタワー形成工程と、
形成された容器タワーを取り囲んだ状態でスクリーン体を配置するスクリーン体配置工程と、
スクリーン体に対してパーティー参加者が視認可能な状態で映像を投影する投影工程とを有しており、
スクリーン体配置工程は、容器タワーの一部の飲料容器についてはスクリーン体で取り囲まずに露出した状態とする工程であり、
投影工程は、複数の映像をスクリーン体上で同時に投影するプロジェクションマッピングを行う工程であるという構成を有する。
また、上記課題を解決するため、請求項２記載の発明は、前記請求項１の構成において、前記投影工程は、前記容器タワーの最上段の飲料容器に飲料又は液体を注いで溢れさせながら行うという構成を有する。
また、上記課題を解決するため、請求項３記載の発明は、前記請求項１又は２の構成において、前記スクリーン体配置工程は、容器タワーのうち少なくとも最上段に位置する飲料容器についてはスクリーン体で取り囲まずに露出した状態とする工程であるという構成を有する。
また、上記課題を解決するため、請求項４記載の発明は、前記請求項１乃至３いずれかの構成において、前記スクリーン体配置工程は、前記スクリーン体を、前記容器タワーにおけるある段の飲料容器の縁の上に載置することで配置する工程であるという構成を有する。
また、上記課題を解決するため、請求項５記載の発明は、前記請求項１乃至４いずれかの構成において、前記スクリーン体配置工程は、サイズの異なる複数のスクリーン体を配置する工程であり、大きい方のスクリーン体が下側で容器タワーを取り囲むよう配置され、小さい方のスクリーン体が上側で容器タワーを取り囲むよう配置されるという構成を有する。
また、上記課題を解決するため、請求項６記載の発明は、前記請求項１乃至５いずれかの構成において、前記投影工程において、１個のプロジェクターが前記スクリーン体の角部を臨む位置に配置され、当該プロジェクターから当該スクリーン体の角部を挟んで隣り合う側面に映像が投影されるという構成を有する。
【発明の効果】
【０００６】
以下に説明する通り、この出願の請求項１記載の発明によれば、容器タワーによる華やかな演出と、プロジェクションマッピングによる斬新で趣向を凝らした演出との相乗効果が発揮されるので、より臨場感のある効果的な演出方法になる。
また、請求項２記載の発明によれば、上記効果に加え、容器タワーの最上段の飲料容器に飲料又は液体が注がれた状態でプロジェクションマッピングによる映像投影が行われるので、さらに華やかで斬新な演出となる。
また、請求項２記載の発明によれば、上記効果に加え、最上段の飲料容器は露出した状態であるので、容器タワーを使った演出であることがパーティー会場内の遠くからでも視認でき、一目で容器タワーが設置されていることがわかるので、より好適となる。また、最上段の飲料容器に飲料又は液体を注ぐ演出がパーティーの最中に行われる場合、注がれる状態も周囲から見えるので、この点でも演出効果を高めるのに役立つ。
また、請求項４記載の発明によれば、上記効果に加え、飲料容器の縁にスクリーン体を載せて配置するので、構造がシンプルで簡便に行える方法であるという効果が得られる。
また、請求項５記載の発明によれば、上記効果に加え、容器タワーの傾斜に沿ってスクリーン体が容器タワーを覆った状態となり、容器タワーのタワー状の連なりを視覚的にあまり損なうことなく映像が投影できるので、容器タワーとプロジェクションマッピングとを組み合わせた演出にとってより適したものとなる。
また、請求項６記載の発明によれば、上記効果に加え、必要最小限のプロジェクターの使用で足りるので、コストが安くできたり、準備が容易であったりするメリットがある。
【図面の簡単な説明】
【０００７】
【図１】実施形態のパーティー演出方法の概略を示した斜視図である。
【図２】タワー形成工程を示した図である。
【図３】タワー形成工程を示した図である。
【図４】スクリーン体配置工程の説明図である。
【図５】スクリーン体配置工程の説明図である。
【図６】スクリーン体配置工程の説明図である。
【図７】プロジェクターの設置位置の一例について示した平面概略図である。
【図８】幾つかの別の実施形態の演出方法の主要部を示す正面図である。
【図９】さらに別の実施形態の演出方法の主要部を示す平面図であり、二台のプロジェクターを使用する実施形態を示した平面概略図である。
【発明を実施するための形態】
【０００８】
次に、この出願発明を実施するための形態（以下、実施形態）について説明する。
図１は、実施形態のパーティー演出方法の概略を示した斜視図である。図１に示す演出方法が実施されるパーティーには、ホテルの宴会場やレンタルーム等で行われる各種パーティーの他、レストランやカフェ等を貸し切りにしての各種パーティー、クラブやバーといった飲食店で雰囲気を盛り上げるために行われるパーティー形式のイベントが含まれる。したがって、パーティー会場は、ホテルの宴会場やレンタルルーム、レストランやカフェ、クラブ、バー等であり得る。
【０００９】
実施形態のパーティー演出方法は、このようなパーティーにおいて、シャンパンタワー１による演出を行う点である。実施形態の演出方法の大きな特徴点は、この際、プロジェクションマッピングを併せて採用する点である。具体的に説明すると、実施形態の演出方法は、容器タワーとしてシャンパンタワー１を形成するタワー形成工程と、プロジェクションマッピングのためのスクリーン体２１〜２３を配置するクリーン体配置工程と、スクリーン体２１〜２３に対して映像を投影してプロジェクションマッピングを行う投影工程とを有している。
【００１０】
まず、図２及び図３を使用して、タワー形成工程について説明する。図２及び図３は、タワー形成工程を示した図であり、図２の（１−１）、（２−１）、図３の（１−１）、（２−１）は平面図、図２の（１−２）、（２−２）、図３の（１−２）、（２−２）は正面図である。
タワー形成工程は、容器タワーとしていわゆるシャンパンタワーを形成する工程であるが、実施形態において、「シャンパンタワー」の用語は、通常よりも広い意味を有する。すなわち、「シャンパンタワー」とは、通常、シャンパングラスをピラミッド状に積み重ねて、最上部のシャンパングラスにシャンパンを注いで溢れさせ、こぼれたシャンパンが順次下側の段のシャンパングラスに注がれるようにする演出方法である。最上段のシャンパングラスから滝のようにシャンパンが流れるので、ゴージャスな演出となる。
【００１１】
実施形態におけるシャンパンタワー１は、このような形態を含むものの、これには限定されない。まず、注がれる液体はシャンパンには限定されず、シャンパン以外の発泡酒でも良く、ワイン等の他の飲料（アルコール飲料には限定されない）でも良い。また、飲料以外の液体を流す場合もあり、さらに液体を流さずにグラスをピラミッド状に積み重ねるだけの場合もある。尚、「シャンパン」の語は、フランス国におけるアルコール飲料の原産地表示として著名であるが、本明細書における「シャンパンタワー」の語は、通称又は俗称と同様であり、シャンパングラスのような飲料容器をタワー状に積み上げたもの又は積み上げる自体を意味する。
【００１２】
実施形態においてシャンパンタワー１を構成する飲料容器としてのグラス３は、必ずしもシャンパングラスには限らない。シャンパングラスやワイングラスのように、カップ部の下側に細長い軸部があり、その下側に平板状のベース部がある形状のものが適しているが、他の形状のグラスが用いられることもある。また、グラス以外の飲料容器をタワー状に積み重ねる場合もあり得る。例えば、日本酒の飲料容器として枡がしばしば用いられるが、枡をタワー状に積み重ねてシャンパンタワー１とすることもあり得る。
図３（２−２）に示すように、この実施形態では、シャンパンタワー１は、グラス３を１１段に積み重ねたものとなっている。積み重ねの段数は、好ましくは８〜１４段程度である。
【００１３】
シャンパンタワー１を形成する場合、図２（１−１）（１−２）に示すように、まず最下段のグラス３を並べる。グラス３は、図２（１−１）に示すように間を空けずに詰めて配列される。各グラス３は、中心が碁盤の目状になるように整然と配列される。図２（１−１）に示すように、各グラス３は、縦横同じ数（１１個）だけ配列されるので、各グラス３が占める平面領域は、略正方形となる。尚、図示は省略されているが、通常、シャンパンタワー１はテーブルの上に形成される。したがって、一段目の各グラス３は、テーブルの上に並べられる。
【００１４】
このようにして一段目（最下段）のグラス３を配列した後、図２（２−１）（２−２）に示すように、二段目のグラス３を配列する。二段目のグラス３は、縦横の数が１個だけ少ない数とされる。二段目のグラス３は、中心が正方形を成すように並んだ一段目の四つのグラス３のちょうど中央の位置になるように積み重ねられる。二段目も、各グラス３は間を空けずに詰めて配列される。
【００１５】
同様にして、１個ずつグラス３の数を少なくし、二段目、三段目・・・と、順次積み重ねる（図３（１−１）（１−２））。各段において、各グラス３は、下の段の中心が方形を成す四つのグラス３の中央の位置に配列される。そして、図３（２−１）（２−２）に示すように、最上段の１個のグラス３を積み重ねると、シャンパンタワー１の完成である。１個のグラス３のカップ部の口径は、８．５〜９ｃｍ程度であり、１個のグラスの高さは１２〜１３ｃｍ程度である。したがって、実施形態の例では、シャンパンタワー１の最下段の大きさは、縦横１００ｃｍ程度、シャンパンタワー１の高さは１４４〜１６９ｃｍ程度となる。
【００１６】
このようにしてシャンパンタワー形成工程が行われた後、スクリーン体配置工程が行われる。図４〜図６は、スクリーン体配置工程の説明図である。
スクリーン体２１〜２３は、投影工程において複数の映像が投影される対象物であるため、投影に適した材質のものが使用される。この実施形態では、白色のプラスチック製の板よりなる部材がスクリーン体２１〜２３として使用されている。具体的には、塩ビ、アクリルといった樹脂製の板材によってスクリーン体２１〜２３が形成されている。
【００１７】
この実施形態では三つのスクリーン体２１〜２３が使用されており、この実施形態では、各スクリーン体２１〜２３は角筒状となっている。細長い長方形の板材を接着材等で固定して角筒状の部材とし、これを各スクリーン体２１〜２３として用いている。各スクリーン体２１〜２３は、載置するシャンパンタワー１の場所に合わせ、大、中、小の三つのサイズとなっている。
図４に示すように、スクリーン体配置工程では、まず大サイズのスクリーン体２１を載置する。この例では、大サイズのスクリーン体２１は、最下段のグラス３の全体の占有領域より少し小さいサイズとなっており、図４に示すように、最下段のグラス３の縁の上にスクリーン体２１が載置される。この結果、２段目と３段目のグラス３がスクリーン体２１で覆われた状態となる。
【００１８】
次に、図５に示すように、中サイズのスクリーン体２２を載置する。中サイズのスクリーン体２２は、４段目のグラス３の全体の占有領域より少し小さいサイズとなっており、図５に示すように、４段目のグラス３の縁の上にスクリーン体２２が載置される。この結果、５段目と６段目のグラス３がスクリーン体２２で覆われた状態となる。
次に、図６に示すように、小サイズのスクリーン体２３を載置する。小サイズのスクリーン体２３は、７段目のグラス３の全体の占有領域より少し小さいサイズとなっており、図６に示すように、７段目のグラス３の縁の上にスクリーン体２３が載置される。この結果、図１に示すように、８段目と９段目のグラス３がスクリーン体２３で覆われた状態となる。そして、１０段目と１１段目（最上段）のグラス３は、スクリーン体２３から上方に露出した状態となる。
【００１９】
このようなスクリーン体配置工程の前、後又は並行して、投影工程のための準備作業が行われる。この作業には、プロジェクター４の設置、投影位置の調整、プロジェクター４を駆動するためのコンピューター５の設置、投影する映像データの準備等が含まれる。
プロジェクター４については、パーティー会場に予め準備されている場合がある。例えば、パーティーが行えるレンタルルームではプロジェクター４が既に用意されている場合、それが使える。この場合、プロジェクター４が天井等に固定されていたり、隣りに映像投影用の操作室があってそこに設置されていたりする場合がある。ホテルの宴会場等で会議等のためにプロジェクター４の設備がある場合が、典型的な例である。このような場合、投影用のスクリーンの設置位置に、スクリーンに代えて上記シャンパンタワー１が配置される。
パーティー会場にプロジェクター４が装備されていない場合、プロジェクター４を持ち込んで設置する。図７は、プロジェクター４の設置位置の一例について示した平面概略図である。
【００２０】
プロジェクションマッピングでは複数のプロジェクターを使用する場合もあるが、この実施形態は、１個のプロジェクター４で演出をする方法となっている。この場合、上記のようにスクリーン体２１〜２３は角筒状であるので、隣り合う二つの面に同時に映像を投影できる位置に１個のプロジェクター４が配置されることが望ましい。この実施形態でも、そのような配置になっている。
具体的には、図７に示すように、プロジェクター４は、角筒状のスクリーン体２１〜２３の角の部分を臨む位置に配置されている。このため、映像は、この角を挟んだ二つの面に投影されることになる。尚、上下方向の投影については、図１に示すように、三つのスクリーン体２１〜２３に対して同時に投影できるようプロジェクター４の姿勢や向きが調整される。
【００２１】
一方、プロジェクター４には、コンピューター（以下、ＰＣ）５が接続される。ＰＣ５には、この実施形態では、ノートパソコン又はタブレット等が使用される。ＰＣ５には、プロジェクションマッピング用のソフトウェアが予めインストールされている。
プロジェクションマッピング用のソフトウェア（以下、ＰＭソフト）については、各社から種々のものが販売されており、任意のものを適宜選択して使用することができる。この実施形態では、北海道日興通信株式会社から販売されているPROJECTION CANVASが使用される。
【００２２】
投影工程は、予めＰＭソフトがインストールされているＰＣ５に対してプロジェクター４を接続し、上記のようにプロジェクター４を配置する。そして、スクリーン体２１〜２３の隣り合う二つの側面に映像が投影されるようにプロジェクター４の向きや投影角等を調整する。次に、ＰＣ５上のＰＭソフトを起動させ、投影する映像データを読み込む。映像データは、予めＰＣ５のハードディスクに記憶しておくか、ＵＳＢメモリのような記憶媒体をＰＣ５に接続して読み込むようにする。
そして、ＰＭソフトに含まれる映像投影用のモジュールを実行し、図１に示すように、プロジェクター４により映像をスクリーン体２１〜２３に投影する。ＰＭソフトの機能により、複数の映像が張り合わされた状態でスクリーン体２１〜２３上に投影される。「張り合わされる」とは、プロジェクター４から射出される光ビームは一つであるが、その中に複数の映像が含まれており、それがスクリーン体２１〜２３に同時に投影されるということである。
【００２３】
上記実施形態の演出方法において、シャンパンタワー１は、既設のプロジェクター４を使うために投影位置が限定されている場合を除き、パーティー会場の任意の位置に設置される。パーティー参加者は、シャンパンタワー１を取り囲むように位置し、投影されるプロジェクションマッピングの映像を見る。この際、シャンパンタワー１の最上段のグラス３に適宜シャンパン等の飲料又は液体が注がれ、滝のように流れ落ちる。このため、プロジェクションマッピングによる映像投影とシャンパンタワー１を流れ落ちる飲料又は液体とにより、さらに華やかで斬新な演出ができることになる。尚、プロジェクター４が壁付け等であって高い位置から映像が投影される場合は問題がないが、プロジェクター４を低い位置に配置せざるを得ない場合、投影を遮断しない位置にパーティー参加者が立つよう配慮される。
【００２４】
プロジェクションマッピングにより投影される映像は、パーティーの趣旨に応じて適宜選択したり調製したりすることができる。例えば、結婚披露宴であったり結婚式の二次会であったりする場合、新郎新婦の幼い頃の写真を適宜組み込んだ映像とすることができる。
いずれにしても、実施形態のパーティー演出方法によれば、シャンパンタワー１による華やかな演出と、プロジェクションマッピングによる斬新で趣向を凝らした演出との相乗効果が発揮されるので、より臨場感のある効果的な演出方法になる。
【００２５】
また、実施形態の演出方法では、スクリーン体２はシャンパンタワー１を全て覆ってしまうものではなく、一部を露出させるものとなっている。このため、シャンパンタワー１による華やかな臨場感を損なうことなく、プロジェクションマッピングによる演出効果が付加される。発明者の実験したところでは、スクリーン体２でシャンパンタワー１を全部覆ってしまうと、シャンパンタワー１があるのがわからなくなってしまうので、シャンパンタワー１による演出の効果がゼロになってしまい、臨場感がなくなってしまう。スクリーン体２をある程度透明なものにしても良いが、逆に、プロジェクションマッピングによる映像が見にくくなってしまう。このような問題がない点で、実施形態の演出方法は優れている。
【００２６】
上記実施形態において、シャンパンタワー１のうちスクリーン体２１〜２３で覆わずに露出させる部分は、最上段又は最上段を含むことが望ましい。最上段のグラス３は、パーティー会場内の遠くからでも視認できるし、下側がスクリーン体２１〜２３で覆われていても、最上段が露出していることで一目でシャンパンタワーが設置されていることがわかる。このため、シャンパンタワーを利用した演出であることに容易に気がつくので、効果を高める点で好適である。そして、最上段のグラス３に飲料を注ぐ演出がパーティーの最中に行われる場合、注がれる状態も周囲から見えるので、この点でも演出効果を高めるのに役立つ。
【００２７】
また、スクリーン体２１〜２３については、シャンパンタワー１のいずれかの段のグラス３の縁に載せることで配置する以外に、例えば支柱のようなものを設けてそこに引っ掛けることで配置する方法もあり得る。さらに、目立たない糸等で天井から吊ることでスクリーン体２１〜２３を配置することもあり得る。これらの方法でも良いが、配置構造が複雑になり、また手間が余計にかかる欠点がある。また、支柱を使用する場合、シャンパンタワー１から少し離れた位置にスクリーン体を配置せざるを得ないため、大がかりでスペースを要するものになり、またシャンパンタワー１の印象が薄らいでしまう。グラスの縁にスクリーン体２１〜２３を載せて配置する方法は、このような問題はなく、構造がシンプルで簡便に行えるという長所がある。
【００２８】
また、図１に示すように、サイズの異なるスクリーン体２１〜２３を用意し、大きい順に下から配置するようにすると、シャンパンタワー１の傾斜に沿ってスクリーン体２１〜２３が覆った状態となり、シャンパンタワー１のタワー状の連なりを視覚的にあまり損なうことなく映像が投影できる。このため、シャンパンタワー１とプロジェクションマッピングとを組み合わせた演出にとってより適したものとなる。この出願の発明の演出方法において、例えば角筒状の大きなスクリーン体を１個だけ用いてシャンパンタワー１を覆うよう配置することも可能であるが、最上部のグラス３が僅かに露出しているだけのような場合、パーティー参加者にとってシャンパンタワー１が内側に配置されることが認識しづらくなる。図１のようにサイズの異なるスクリーン体２１〜２３を使用し、大きい順に下から配置すると、このような問題はない。
【００２９】
図８は、幾つかの別の実施形態の演出方法の主要部を示す正面図である。これらの実施形態では、スクリーン体の数やサイズが異なっている。まず図８（１）に示す実施形態では、大中小の三つのスクリーン体２１〜２３が使用されているが、露出しているグラス３は、下側の二段と上側の三段のみとなっている。また、図８（２）に示す実施形態では、大小二つのスクリーン体２４，２５が使用されており、同様に下側二段と上側三段のグラス３が露出している。本願発明は、このような形態においても実施することができる。尚、図８に示す各実施形態では、スクリーン体２１〜２５によって覆われる面積が大きくなるので、プロジェクションマッピングの際の投影領域が大きくなる。このため、より大きく映像を投影したい場合や途切れのない領域に映像を投影したい場合に好適となる。逆に、図１の実施形態では、グラス３が露出している部分が多くなるので、シャンパンタワー１の演出効果がより高くなる。
【００３０】
図９は、さらに別の実施形態の演出方法の主要部を示す平面図であり、二台のプロジェクターを使用する実施形態を示した平面概略図である。
図１に示す実施形態では、上記のように一台のプロジェクター４により各スクリーン体２１〜２３の二つの面に映像を投影する。この点は、必要最小限のプロジェクターの使用で足りるので、コストが安くできたり、準備が容易であったりするメリットがある。一方、この出願の発明の実施に際しては、二台以上のプロジェクターを使用しても良く、この例が図９に示されている。
【００３１】
図９に示すように、二台のプロジェクター４を使用する場合、各プロジェクター４を角筒状のスクリーン体２１〜２３の隣り合う側面にそれぞれ映像が投影されるように配置し、シャンパンタワー１の周囲のどの位置からでも映像が見られるようにすると好ましい。この実施形態の場合、シャンパンタワー１はパーティー会場の中央に配置される。この実施形態の場合、シャンパンタワー１の周囲どこからでもプロジェクションマッピングの映像が視認されるので、より大きなパーティー会場で大規模に演出するといった場合に適したものとなる。
【００３２】
尚、各実施形態において、シャンパンタワー１にシャンパンやワインといった飲料が注がれる場合、それらはパーティー参加者に提供されることも当然にあり得る。シャンパンタワー１は、端の方のグラス３を１個取り去っても崩れることはないので、パーティー参加者が端の方のグラス３を随時取って飲料の提供を受けることがあり得る。
また、各実施形態において、シャンパンタワー１はピラミッド（四角錐）状であるとしたが、多数のグラス３を三角錐状又は円錐状に積み上げてシャンパンタワーとする場合もある。この場合、断面三角形の筒状のスクリーン体や、円筒状のスクリーン体が適宜用いられる。但し、角筒状のスクリーン体は、側面が平坦面であって直角に交差しているので、隣り合う二つの側面に映像を投影した場合、映像が見やすいという長所がある。このため、シャンパンタワーが三角錐状又は円錐状であっても、角筒状のスクリーン体を使用することもあり得る。尚、ピラミッド状のシャンパンタワーは、他のものに比べて、各グラスが安定して崩れにくいという長所がある。
【００３３】
尚、上記実施形態では、飲料容器としてのグラスは、シャンパングラスが想定されたが、この他、カクテルグラスやワイングラスでも良く、軸部やベース部を有しないタンブラー、ロックグラス、ショットグラスなどでも良い。さらに、ビールグラス（ジョッキ）のような持ち手のついたグラスが使用されることもあり得る。そして、グラス（ガラス製の飲料容器）以外のものが使用されることあり、この例には、前述した枡の他、各種木製のカップやセラミックス（ガラス以外）製のカップや陶器があり得る。
また、特許請求されている発明ではないが、上記各実施形態において、スクリーン体に投影する映像をプロジェクションマッピングではない通常の映像とすることもあり得る。つまり、一つのみの映像をプロジェクターによりスクリーン体に投影することでパーティー演出とすることもあり得る。
【産業上の利用可能性】
【００３４】
この出願の発明は、上記各実施形態で例示されたように、ホテルの宴会場や各種レンタルルーム、クラブやバー、レストランのような各種飲食店等においてシャンパンタワーを利用した演出を行うものである。この方法は、例えば専門の業者がイベントの請負のような形で演出を請け負う業態が考えられる。業者は、シャンパンタワー用のグラスを用意し、グラスを並べてシャンパンタワーを形成し、プロジェクションマッピング用のＰＣやソフトを準備するといった作業をし、パーティーの際には適宜のタイミングでプロジェクションマッピング映像を投影するといったサービスを提供する。したがって、この出願の発明は、このような演出サービスの提供事業において利用され得る。また、専門の業者ではなく、ホテル等の会場提供者が会場提供に付随したサービスとして行ったり、クラブやバー等の飲食店が自店舗の売り上げ増進のために行ったりすることもあり、これらにおいて事業として行われることもあり得る。
【符号の説明】
【００３５】
１  シャンパンタワー
２１〜２３  スクリーン体
３  グラス
４  プロジェクター
５  コンピューター
【要約】
【課題】  斬新で印象に残る華やかな演出方法を提供する。
【解決手段】  パーティー会場内に、飲料容器としてのグラス３を三段以上タワー状に積み上げてシャンパンタワー１を形成し、形成されたシャンパンタワー１を取り囲んだ状態でスクリーン体２１〜２３を配置し、スクリーン体２１〜２３に対して、パーティー参加者が視認可能な状態でプロジェクションマッピング映像をプロジェクター４により投影する。スクリーン体２１〜２３は、ある段のグラス３の縁に載置された状態で配置され、シャンパンタワー１のうち少なくとも最上段のグラス３を取り囲まず、最上段のグラス３は露出した状態とされる。最上段のグラス３には、適宜シャンパン等の飲料又は液体が注がれ、演出を効果的にする。
【選択図】  図１【図１】
0005919409.tif 000002
【図２】
0005919409.tif 000003
【図３】
0005919409.tif 000004
【図４】
0005919409.tif 000005
【図５】
0005919409.tif 000006
【図６】
0005919409.tif 000007
【図７】
0005919409.tif 000008
【図８】
0005919409.tif 000009
【図９】
0005919409.tif 000010